(57)【要約】【課題】マルチパーティ通信セッションで通信機器の識別情報の利用可能性を高めること。【解決手段】通信機器が複数個の通信機器を含む通信セッションに関与すると、１個または複数の情報受信機コンポーネントに前記複数個の通信機器および前記通信機器のうちの２個以上の通信機器の識別情報を送信する１個または複数の情報送信機コンポーネントを備える装置。【選択図】図１
2005124183.tif 000002
【特許請求の範囲】
【請求項１】
一通信機器が複数個の通信機器を含む通信セッションに関与すると、１個または複数の情報受信機コンポーネントに、
前記複数個の通信機器および、
前記一通信機器、
のうちの２個以上の通信機器の識別情報を送信する１個または複数の情報送信機コンポーネントを備える装置。
【請求項２】
前記複数個の通信機器は第１通信機器と第２通信機器とを備え、前記一通信機器は第３通信機器を備え、
前記関与には前記第１通信機器と前記第２通信機器の１つから前記第３通信機器に対する通信セッションへの参加の呼びかけが含まれ、
前記１個または複数の情報送信機コンポーネントのうちの１個または複数は前記第１通信機器および前記第２通信機器の前記識別情報を前記第３通信機器に送信する
請求項１に記載の装置。
【請求項３】
前記第１通信機器および前記第２通信機器の前記識別情報は、
前記第１通信機器および前記第２通信機器の１人以上のユーザに関連する名前情報と、
前記第１通信機器および前記第２通信機器に関連する番号情報と、
前記第１通信機器および前記第２通信機器に関連するプレゼンテーション情報と、
を含み、
前記１個または複数の情報送信機コンポーネントのうちの１個または複数は前記名前情報と前記番号情報とを通信セッション・セットアップ・メッセージで前記第３通信機器に送信する請求項２に記載の装置。
【請求項４】
前記１個または複数の情報送信機コンポーネントは１個または複数の第１テレコミュニケーション・スイッチを備え、前記１個または複数の情報受信コンポーネントは１個または複数の第２テレコミュニケーション・スイッチを備え、
前記１個または複数の第１テレコミュニケーション・スイッチは第１テレコミュニケーション・スイッチを含み、該第１テレコミュニケーション・スイッチは前記第３通信機器に対する通信セッションへの参加の呼びかけを送信する前記第１通信機器と前記第２通信機器の１つをサポートし、
前記１個または複数の第２テレコミュニケーション・スイッチは前記第３通信機器をサポートする第２テレコミュニケーション・スイッチを含み、
前記第１テレコミュニケーション・スイッチは前記第１通信機器および前記第２通信機器の前記識別情報を前記第２テレコミュニケーション・スイッチに送信し、
前記第２テレコミュニケーション・スイッチは前記第１通信機器および前記第２通信機器の前記識別情報を前記第３通信機器に送信し、
前記第３通信機器のユーザは前記第１通信機器および前記第２通信機器の前記識別情報を利用して、前記通信セッションに加わるか否かを決定できる、
請求項２に記載の装置。
【請求項５】
前記複数個の通信機器は第１通信機器と第２通信機器とを備え、前記一通信機器は第３通信機器を備え、
前記第１通信機器は前記第３通信機器に対して通信セッションへの参加を呼びかけ、
前記１個または複数の情報送信機コンポーネントのうちの１個または複数は前記第３通信機器の前記識別情報を前記第２通信機器に送信する、
請求項１に記載の装置。
【請求項６】
前記複数個の通信機器は第１通信機器と第２通信機器とを備え、前記一通信機器は第３通信機器を備え、前記１個または複数の情報送信機コンポーネントはアプリケーション・サーバを備え、
前記関与には前記第１通信機器と前記第２通信機器の１つから前記第３通信機器に対する通信セッションへの参加の呼びかけが含まれ、
前記１個または複数の情報送信機コンポーネントのうちの１個または複数は前記第１通信機器、前記第２通信機器、および前記第３通信機器のうちの２個以上の識別情報を前記アプリケーション・サーバに送信し、
前記アプリケーション・サーバは前記第１通信機器、前記第２通信機器、および前記第３通信機器のうちの１個または複数の識別情報を利用して、サーバに対して前記通信セッション上で起動中の前記複数個の通信機器および前記一通信機器のうちの１個または複数にサービスを提供する請求項１に記載の装置。
【請求項７】
前記複数個の通信機器のうちの１個または複数が通信セッションから離脱すると、前記１個または複数の情報送信機コンポーネントのうちの１個または複数は前記通信セッション上で起動状態を保っている前記複数個の通信機器のうちの１個または複数に対して、前記離脱に含まれる前記複数個の通信機器のうちの１個または複数の識別情報を通知する請求項１に記載の装置。
【請求項８】
前記通信セッションは第１通信セッションを含み、前記複数個の通信機器は第１通信機器と第２通信機器とを備え、前記一通信機器は第３通信機器を備え、
前記第１通信機器は前記第３通信機器で第２通信セッションを開始し、
前記第１通信セッションが前記第２通信セッションに接続されると、前記１個または複数の情報送信機コンポーネントのうちの１個または複数は前記第１通信機器および前記第２通信機器の前記識別情報を前記第３通信機器に送信し、且つ前記第３通信機器の前記識別情報を前記第２通信機器に送信する請求項１に記載の装置。
【請求項９】
一通信機器が通信セッションに参加し、または離脱すると、前記通信セッション上起動中の複数個の通信機器の識別情報を１個または複数の情報受信コンポーネントに送信する工程を含む方法。
【請求項１０】
前記複数個の通信機器は第１通信機器と第２通信機器とを備え、前記一通信機器は第３通信機器を備え、
前記一通信機器が通信セッションに参加し、または離脱すると、前記通信セッション上で起動中の複数個の通信機器の識別情報を１個または複数の情報受信コンポーネントに送信する前記工程は、
前記第３通信機器に対する通信セッションへの参加の呼びかけがなされると、前記第１通信機器および前記第２通信機器の識別情報を前記第３通信機器に送信する工程を含み、
前記第１通信機器が前記呼びかけを開始すると、前記方法はさらに、
前記第１通信機器が前記通信セッションに接続されると第３通信機器の識別情報を前記第２通信機器に送信する工程を含む、
請求項９に記載の方法。
【発明の詳細な説明】
【技術分野】
【０００１】
本発明は全体として通信に関し、より具体的にはマルチパーティ通信セッションでの識別情報の交換に関する。
【背景技術】
【０００２】
発呼側通信機器と被呼側通信機器との間で通信を開始するため、発呼側通信機器は被呼側通信機器に対して通信セッションへの参加の呼びかけを送信する。例えば、発呼側電話機が被呼側電話機を発呼して、音声の会話を開始する。一実施例での被呼側電話機は発呼側識別サービスを利用して、発呼側電話機および／または発呼側電話機のユーザの識別情報を受信する。被呼側電話機のユーザは識別情報を利用して呼出しを受けるか拒絶するかを決定できる。
【０００３】
一実施例における発呼側電話機は、被呼側電話機に対してマルチパーティ通信セッションへの参加を呼びかける前にマルチパーティ通信セッションに含まれている。例えば、発呼者電話機が１個または複数の他の起動中の通信機器と会議電話中であるとする。発呼側電話機が被呼側電話機に対して会議電話に加わるように呼びかけると、発呼側識別サービスが被呼側電話機に対して発呼側電話機の識別情報を表示する。しかし、発呼側の識別サービスは被呼側電話機に対して、会議電話上で起動中の他の通信機器の識別情報は表示しない。欠点の１つとして、被呼側は会議電話上で起動中の他の通信機器の識別情報を知らない。
【０００４】
さらに、被呼側電話機が会議電話に加わると、会議上で起動中の他の通信機器は被呼側電話機の識別情報を受信しない。一実施例における会議電話上で起動中の他の通信機器は、新たな加入者が会議電話に加わった旨の通知、または加入者が会議電話から離脱した旨の通知を受信する。一例では通知はメンバーの追加、または離脱を示すための音声を含んでいる。欠点の１つとして、会議電話上で起動中の他の通信機器は、会議電話に加えられたメンバー、または会議電話を離脱したメンバーの識別情報を知らない。
【発明の開示】
【発明が解決しようとする課題】
【０００５】
上記に鑑み、マルチパーティ通信セッションで通信機器の識別情報の利用可能性を高める必要がある。
【課題を解決するための手段】
【０００６】
本発明の一実施形態は装置を含む。この装置は、一通信機器が複数個の通信機器を含む通信セッションに関与すると、１つ以上の情報受信機コンポーネントに前記複数個の通信機器および前記一通信機器のうちの２つ以上通信機器の識別情報を送信する１個または複数の情報送信機コンポーネントを備えている。
【０００７】
本発明の別の実施形態は装置を含む。この装置は、複数個の通信機器を含む通信セッション中の一通信機器の接続状態が変化すると、前記複数個の通信機器に前記一通信機器の識別情報を送信する１個または複数の情報送信機コンポーネントを備えている。
【０００８】
本発明のさらに別の実施形態は方法を含む。一通信機器が通信セッションに加わるかまたは離脱すると、通信セッション上で起動中の複数個の通信デバイスの識別情報が１個または複数の情報受信コンポーネントに送信される。
【０００９】
本発明のさらなる実施形態は製品を含む。この製品は１個または複数のコンピュータ読み出し可能な信号記録媒体を備えている。この製品は一通信機器が通信セッションに加わるかまたは離脱すると、通信セッション上で起動中の複数個の通信デバイスの識別情報を１個または複数の情報受信コンポーネントに送信するための、１個または複数の媒体内の手段を備えている。
【発明を実施するための最良の形態】
【００１０】
本発明の実施例は明細書、特許請求の範囲、および添付図面から明らかにされる。
図１を参照すると、装置１００は一実施例ではコンピュータ・ソフトウエアおよび／またはハードウエア・コンポーネントのような複数個のコンポーネントを備えている。このような幾つかのコンポーネントを装置１００に組み入れ、または分割することができる。装置１００のコンポーネントの一例は、当業者には理解されるように、任意の数のプログラミング言語で書き込まれ、または実装される１組のおよび／または一連のコンピュータ命令を使用し、および／または備えている。
【００１１】
一実施例では装置１００は１個または複数の情報送信機コンポーネントおよび１個または複数の情報受信機コンポーネントを備えている。情報送信機コンポーネントは１個または複数の通信機器および／または１個または複数の通信機器の１人以上のユーザの識別情報を情報受信機コンポーネントに送信する。例えば、識別情報は通信機器のユーザに関連する名前情報と、通信機器に関連する番号情報と、通信機器に関連するプレゼンテーション情報とを含んでいる。
【００１２】
情報送信機コンポーネントの実施例は通信セッション制御コンポーネント１０２、１０４、および１０６、および通信機器１０８，１１０、および１１２のいずれか１個または複数を備えている。情報受信機コンポーネントの実施例は通信セッション制御コンポーネント１０２、１０４、および１０６、通信機器１０８、１１０、および１１２、およびアプリケーション・サーバ１１４のいずれか１個または複数を備えている。例えば、通信機器１１２のユーザは、マルチパーティ通信セッションの全ての起動メンバーの識別情報を受信するために、情報送信機コンポーネントによって提供されるマルチパーティ発呼側識別サービスに加入できる。
【００１３】
一実施例における通信セッション制御コンポーネント１０２、１０４、および１０６（「コール・サーバ」）は通信機器１０８、１１０、および１１２をサポートするテレコミュニケーション・スイッチを備えている。例えば、通信セッション制御コンポーネント１０２、１０４、および１０６は回路スイッチ、ソフトスイッチ、モバイル・スイッチ・センター（「ＭＳＣ」）、コール・ステート制御機能（「ＣＳＣＦ」）、およびゲートウェイ・ジェネラル・パケット・ラジオ・サービス・サポート・ノード（「ＧＧＳＮ」）のうち１個または複数を備えていてもよい。通信セッション制御コンポーネント１０２、１０４、および１０６は単一のネットワーク内に配置されてもよく、複数のネットワーク間に分離されてもよい。例えば、通信セッション制御コンポーネント１０２は第１のネットワーク内で通信機器１０８をサポートし、通信セッション制御コンポーネント１０４は第２のネットワーク内で通信機器１１０をサポートし、通信セッション制御コンポーネント１０６は第３のネットワーク内で通信機器１１２をサポートしてもよい。複数のネットワークは公衆交換電話網（「ＰＳＴＮ」）、インターネット、およびイントラネットのうち１つ以上を備えていてもよい。
【００１４】
通信セッション制御コンポーネント１０２、１０４、および１０６は通信セッションまたは通話で通信機器１０８、１１０、および１１２を互いに接続する。例えば、通信セッション制御コンポーネント１０２と通信セッション制御コンポーネント１０４とは通信機器１０８と通信機器１１０との間の信号メッセージを交換し、通話用のベアラ・トラフィックを制御する。次に、通信セッション制御コンポーネント１０２および１０４はぞれぞれの通信機器１０８および１１０に信号メッセージとベアラ・トラフィックの一部を供給する。例えば、通信セッション制御コンポーネント１０２および１０４は信号メッセージからの識別情報、およびベアラ・トラフィックからの通信情報を通信機器１０８および１１０に供給する。
【００１５】
通信セッション制御コンポーネント１０２、１０４、および１０６は１つ以上の通話記録を備えている。通話記録は通信セッション上で起動中のいずれかの通信機器に関連する識別情報を記憶する。３個の通信機器１０８、１１０、および１１２の全てを能動的に含む通信セッション中、各通信セッション制御コンポーネント１０２および１０４の通話記録は書く通信機器１０８、１１０、および１１２に関連する識別情報を記憶する。例えば、通信セッション制御コンポーネント１０２の通話記録は、遠隔ネットワーク要素が１個または複数の通信機器１０８、１１０、および１１２を通信セッションに加えた場合でも、通信セッション上の各通信機器１０８、１１０、および１１２の識別情報を含んでいる。
【００１６】
情報送信機コンポーネントは通信セッション上で起動中の通信機器１０８、１１０、および１１２に関連する識別情報を保有している通話セットアップ・メッセージを送信する。一実施例での通話セットアップ・メッセージは総合デジタル通信網（「ＩＳＤＮ」）、一次群インターフェース（「ＰＲＩ」）、セッション開始プロト通話（「ＳＩＰ」）、ＳＩＰ−Ｉ、ＩＳＤＮ  ユーザ・パート（「ＩＳＵＰ」）、アナログＨ．３２３、ＧＲ−３０３、コード分割多重アクセス（「ＣＤＭＡ」）、時分割多重アクセス（「ＴＤＭＡ」）、ユニバーサル・モバイル・テレコミュニケーション・システム（「ＵＭＴＳ」）、欧州デジタル携帯電話統一システム規格（「ＧＳＭ」）を備えていてもよい。一実施例での通話セットアップ・メッセージは複数個の通信機器に関連する識別情報を保有することができる。
【００１７】
一実施例では、通信機器１０８および１１０は通信セッションに含まれており、通信セッション制御コンポーネント１０４によってサポートされている通信機器１１０は通信機器１１２を通信セッションに加える。通信セッション制御コンポーネント１０４は通信機器１０８および１１０に関連する識別情報を通信セッション制御コンポーネント１０６に送信する。通信セッション制御コンポーネント１０６は通信機器１０８および１１０に関連する識別情報をその通話記録に記憶する。
【００１８】
通信機器１１２と通信セッションとが接続されると、通信セッション制御コンポーネント１０４は通信機器１１２に関連する識別情報を含めるように通話記録を更新する。次に、通信セッション制御コンポーネント１０４は通信機器１１２に関連する識別情報を通信セッション制御コンポーネント１０２に送信して、通信セッション制御コンポーネント１０２の通話記録を更新せしめる。このようにして、通信セッション制御コンポーネント１０２、１０４、１０６の各通話記録は能動的に含まれる通信セッションの各メンバーの識別情報のコピーを記憶する。
【００１９】
次に、通信セッション制御コンポーネント１０２、１０４、１０６は第１の１個または複数の通信機器１０８、１１０、および１１２の識別情報を第２の１個または複数の通信機器１０８、１１０、および１１２に送信できる。例えば、通信セッション制御コンポーネント１０２は通信機器１１０および１１２の識別情報を通信機器１０８に送信して、通信機器１０８に対して通信機器１１０および１１２が通信セッションに能動的に参加していることを指示する。通信機器１０８、１１０、および１１２のユーザは識別情報を利用してマルチパーティ通信セッションへの能動的な参加、または参加の呼びかけを決定し、且つマルチパーティ通信セッションに関与する全ての起動している通信機器を判定できる。
【００２０】
情報送信機コンポーネント（例えば通信セッション制御コンポーネント１０２、１０４、１０６の１個または複数）は一実施例では、通信機器１０８、１１０、および１１２の１個または複数にマルチパーティ通信セッション識別情報を送信する。通信機器１０８、１１０、および１１２は一実施例では、有線電話、携帯電話、ソフトフォン、携帯用個人情報端末（「ＰＤＡ」）、およびパーソナル・コンピュータの１つ以上を含んでいる。通信機器１０８、１１０、および１１２は通信セッション上で起動中の他の通信機器の識別情報を通信機器１０８、１１０、および１１２のユーザに表示する。通信機器１０８、１１０、および１１２は一実施例では、通信セッション上で起動中の他の通信機器の識別情報を表示するディスプレーを備えている。例えば、ディスプレーはディスプレースクリーン、発呼側識別ボックス、電話ディスプレー、またはポップアップ・ウインドウを含んでいてもよい。通信機器１０８、１１０、および１１２は複数個の通信機器および／または通信機器のユーザに関連する識別情報を表示することができる。
【００２１】
一実施例における情報送信機コンポーネントはマルチプルパーティ通信セッション識別情報をアプリケーション・サーバ１１４に送信する。アプリケーション・サーバ１１４は補助プロセッサ、サービス・コントロール・ポイント（「ＳＣＰ」）、およびホーム・ロケーション・レジスタ（「ＨＬＲ」）の１つ以上を含んでいてもよい。アプリケーション・サーバ１１４は１個または複数の通信機器１０８、１１０、および１１２用のサービス・プロバイダを含んでいる。例えば、アプリケーション・サーバ１１４は識別情報に関連する通信機器１０８、１１０、および１１２用のサービスを提供するために識別情報を利用してもよい。アプリケーション・サーバ１１４は識別情報を解読して、識別情報がサービスの提供をもたらすか否かを決定する。
【００２２】
一実施例では、通信機器１１２はアプリケーション・サーバ１１４に対して、複数個の他の通信機器（例えば通信機器１０８および１１０）を含む着信通話をブロックすることを要求する。他の通信機器の識別情報を受信すると、アプリケーション・サーバ１１４は１個または複数の通信機器が通話に加わっているものと判定し、それによって通信機器１１２への通話の送出をブロックすることができよう。次にアプリケーション・サーバ１１４は通話に能動的に参加している通信機器１０８および１１０に対して、通信機器１１２がマルチパーティ通話の送出を受け入れない旨の告知を行うことができよう。
【００２３】
一実施例ではアプリケーション・サーバ１１４はウエブ・ポータル１１６とインターフェースする。ウエブ・ポータルは一実施例では、コンピュータ１１８に情報を供給する。コンピュータ１１８は一実施例では通信機器１０８、１１０、および１１２の１個または複数と連結されている。例えば、通信機器１１２のユーザはコンピュータ１１８を使用して通話に能動的に参加している通信機器に関連する識別情報を受ける。ウエブ・ポータル１１６は識別情報をコンピュータ１１８に送出し、コンピュータは識別情報を通信機器１１２のユーザに表示する。ユーザは次に識別情報を利用して通話を受け入れるか拒絶するかを決定できる。
【００２４】
図２に転じてこれを参照し、例示する目的で装置１００の動作の例をここに説明する。メッセージの流れ２０１は通信機器１１２と、通信機器１０８および１１０を能動的に含む通信セッションとの接続例を示している。メッセージの流れ２０１は通信機器１１２が通信セッションに加わることの呼びかけを開始する通信機器１０８を示している。メッセージに流れ２０１はさらに、通信セッションへの参加を受け入れる前に、通信機器１１２に対して通信機器１０８および１１０の識別情報を送出する例を示している。一例では、通信機器１０８、１１０、および１１２のユーザは、通信セッションに能動的に加わるいずれかの通信機器の識別情報を受信するためのマルチパーティ発呼側識別サービスに加入する。一実施例では、通信機器１０８、１１０、および１１２のユーザはメッセージの流れ２０１の開始前にマルチパーティの発呼側識別サービスを構築し、起動している。
【００２５】
メッセージの流れ２０１は通信機器１０８、１１０、および１１２の１つと、通信セッション制御コンポーネント１０２、１０４、１０６のそれぞれの１つとの間の総合デジタル通信網（「ＩＳＤＮ」）でのシグナリングの利用例を示している。
【００２６】
さらに、メッセージの流れ２０１は通信セッション制御コンポーネント１０２、１０４、１０６の間のＩＳＤＮユーザ・パート（「ＩＳＵＰ」）でのシグナリングの利用例を示している。通信機器１０８、１１０、および１１２および／または通信セッション制御コンポーネント１０２、１０４、１０６はＨ．３２３またはセッション開始プロト通話（「ＳＩＰ」）のような他のシグナリング・プロト通話を利用して通信することができる。
【００２７】
通信機器１１０で通信セッションを開始するには、通信機器１０８が通信セッション制御コンポーネント１０２に通話セットアップ・メッセージ２０２を送信する。通話セットアップ・メッセージ２０２は通信機器１１０の電話番号を含んでいる。例えば、「ＣｄＰＮ＝ＣＤ２」は通信機器１１０の電話番号にセットされた被呼側番号を示す役割を果たす。
【００２８】
通話セットアップ・メッセージ２０２を受信すると、通信セッション制御コンポーネント１０２は通信セッション制御コンポーネント１０４に対して初期アドレス・メッセージ（「ＩＡＭ」）２０４を送信する。初期アドレス・メッセージ２０４は通信機器１１０の電話番号と通信機器１０８の電話番号とを含んでいる。例えば、「ＣｇＰＮ＝ＣＤ１、ＣｄＰＮ＝ＣＤ２」は通信機器１０８の電話番号にセットされた被呼側番号、および通信機器１１０の電話番号にセットされた被呼側番号を示す役割を果たす。
【００２９】
初期アドレス・メッセージ２０４を受信すると、通信セッション制御コンポーネント１０４は通信機器１１０に対して通話セットアップ・メッセージ２０６を送信する。一実施例での「セットアップ（ＣｇＰＮ＝ＣＤ１、ＣｄＰＮ＝ＣＤ２）」は通話セットアップ・メッセージ２０６を表す役割を果たす。通話セットアップ・メッセージ２０６は通信セッションの通信機器１１０に対して通信機器１０８での通信セッションを呼び出す。通話セットアップ・メッセージ２０６は通信機器１０８および／または通信機器１０８のユーザに関連する識別情報を含んでいる。例えば、「ＣｇＰＮ＝ＣＤ１」は通信機器１０８および／または通信機器１０８のユーザに関連する識別情報を表示する役割を果たす。
【００３０】
通信機器１１０が通信セッションに加わると、通信機器１１０は通信セッション制御コンポーネント１０４に対して接続メッセージ２０８を送信する。接続メッセージ２０８を受信すると、通信セッション制御コンポーネント１０４は通信セッション制御コンポーネント１０２に応答メッセージ２１０を送信する。「ＡＮＭ（ＣｏＰＮ＝ＣＤ２）」は応答メッセージ２１０を表す役割を果たす。「ＣｏＰＮ＝ＣＤ２）」は通信機器１１０の電話番号にセットされた接続された加入者番号を示す役割を果たす。接続された加入者番号はさらに、通信機器１１０の通知／非通知設定も含んでいる。例えば、通知／非通知設定は一例では、通信機器１１０に関連する識別情報が例えば表示には利用できないことを示し、通信機器１１０に関連する識別情報はプライベートとして通知される。接続された加入者番号は通信セッションに接続された通信機器の電話番号を表す。一実施例では、接続された加入者番号を知る前に通信セッション制御コンポーネント１０４が応答メッセージ２１０を送信した場合は、接続された加入者番号が判定されると、通信セッション制御コンポーネント１０４は接続された加入者番号を別個の情報メッセージ内の通信セッション制御コンポーネント１０２に送信する。
【００３１】
応答メッセージ２１０を受信すると、通信セッション制御コンポーネント１０２は接続メッセージ２１２を通信機器１０８に送信する。接続メッセージ２１２は通信機器１０８に対して、通信機器が通信セッションに参加したことを示す。次に、通信機器１０８と通信機器１１０とは双方向通話２１４での通信を開始する。
【００３２】
一実施例では、通信機器１０８のユーザは通信機器１１２に対する通信セッションへの参加の呼びかけを決定する。例えば、通信機器１０８のユーザは双方向通話を三方向通話、または会議電話に切換える。通信機器１１２に対する通信セッションへの参加の呼びかけを開始するには、通信機器１０８は会議メッセージ２１６を通信セッション制御コンポーネント１０２に送信する。「ＣＯＮＦ（ＣｄＰＮ＝ＣＤ３」は会議メッセージ２１６を表す役割を果たす。「ＣｄＰＮ＝ＣＤ３」は例えば通信機器１１２の電話番号の用は被呼側の番号を表す役割を果たす。一例における会議メッセージ２１６は通信セッション制御コンポーネント１０２を通信機器１１２内での会議へと向ける機能ボタン指示メッセージを備えている。
【００３３】
会議メッセージ２１６を受信すると、通信セッション制御コンポーネント１０２は通信セッション制御コンポーネント１０６に対して初期アドレス・メッセージ（「ＩＡＭ」）２１８を送信する。初期アドレス・メッセージ２１８は通信機器１０８の電話番号、通信機器１１０の電話番号、および通信機器１１２の電話番号を含んでいる。例えば、「ＣｇＰＮ＝ＣＤ１、別のＣｇＰＮ＝ＣＤ２、ＣｄＰＮ＝ＣＤ３」は通信機器１０８の電話番号にセットされた発呼側番号と、通信機器１１０の電話番号にセットされた別の発呼側番号と、通信機器１１２の電話番号にセットされた被呼側番号とを表す役割を果たす。通信セッション制御コンポーネント１０２は応答メッセージ２１０内の受信されたメッセージから別の発呼側番号を判定する。
【００３４】
通信セッション制御コンポーネント１０２に対する通信機器１１０の識別情報が得られない場合は、通信セッション制御コンポーネント１０２は別の発呼側番号を、例えば「別のＣｇＰＮ＝Ｕｎｋｎｏｗｎ」のように不明に設定する。別の発呼側番号を不明に設定すると、通信機器１１２のユーザに対して、別の加入者が通話中であるが、その加入者の識別情報を入手不能である旨が通報される。
【００３５】
通信機器に通話を送出するには、通信セッション制御コンポーネント１０６は通信機器１１２にセットアップ・メッセージ２２０を送信する。セットアップ・メッセージ２２０は通信機器１０８および１１０に関連する識別情報を含んでいる。通信機器１０８および１１０の双方に関連する識別情報は通信機器１１２のユーザに対して１個または複数の通信機器が通信セッション上で起動中であることを表示する。
【００３６】
通信機器１１２が通信セッションに加わると、通信機器１１２は通信セッション制御コンポーネント１０６に接続メッセージ２２２を送信する。接続メッセージ２２２を受信すると、通信セッション制御コンポーネント１０６は通信セッション制御コンポーネント１０２に応答メッセージ２２４を送信する。「ＡＮＭ（ＣｏＰＮ＝ＣＤ３）」は応答メッセージ２２４を表す役割を果たす。「ＣｏＰＮ＝ＣＤ３」は通信機器１１２の電話番号にセットされた接続された加入者番号を表す役割を果たす。
【００３７】
応答メッセージ２２４を受信すると、通信セッション制御コンポーネント１０２は通信セッション制御コンポーネント１０４に情報メッセージ２２６を送信する。情報メッセージ２２６は通信機器１１２に関連する識別情報を含んでいる。通信セッション制御コンポーネント１０４が情報メッセージ２２６を受信すると、通信セッション制御コンポーネント１０２および１０４の双方が、通信セッション上で起動中の加入者（例えば通信機器１０８、１１０、および１１２）に関連する識別情報の完全なリストを有する。例えば、通信セッション制御コンポーネント１０２および１０４の一方が追加の通信機器に通信セッションを呼びかけると、通信セッション制御コンポーネント１０２および１０４は追加の通信機器に識別情報の完全なリストを提示することができる。
【００３８】
通信セッション制御コンポーネント１０４は通信機器１１２に関連する識別情報を情報メッセージ２２８内の通信機器１１０に送る。情報メッセージ２２８は通信機器１１０のユーザに対して、通信機器１１２が通信セッションに加わったことを通報する。情報メッセージ２２８はさらに、通信機器１１２に関連する識別情報を通信機器１１０のユーザに提示する。
【００３９】
通信セッション制御コンポーネント１０２は接続メッセージ２３０を通信機器１０８に送信する。接続メッセージ２３０は通信機器１０８に対して通信機器１１２が通信セッションに加わったことを表示する。通信セッション制御コンポーネント１０２は応答メッセージ２２４の受信後のいつでも接続メッセージ２３０を送信できる。
【００４０】
図３に転じてこれを参照し、例示する目的で装置１００の動作の別の例をここに説明する。メッセージの流れ３０１は通信機器１１２と通信機器１０８および１１０を能動的に含む通信セッションとの接続例を示している。通信機器１０８および１１０はメッセージの流れ２０１で記載したように双方向通話２１４をセットアップする。メッセージの流れ３０１はメッセージの流れ２０１と類似している。しかし、メッセージの流れ３０１は通信機器１１２が通信セッションに加わることの呼びかけを開始する通信機器１１０を示している。例えば、通信機器１１０は通信機器１１２への呼びかけを開始するため、通信セッション制御コンポーネント１０４に会議メッセージ２１６を送信する。
【００４１】
メッセージの流れ３０１では、初期アドレス・メッセージ２１８は通信機器１１０が呼びかけを開始したこと、および通信機器１０８が通信セッション上で起動していることの表示を含んでいる。例えば、「ＣｇＰＮ＝ＣＤ２、別のＣｇＰＮ＝ＣＤ１、ＣｄＰＮ＝ＣＤ３」は通信機器１１０の電話番号にセットされた発呼側番号と、通信機器１０８の電話番号にセットされた別の発呼側番号と、通信機器１１２の電話番号にセットされた被呼側番号とを表す役割を果たす。通信セッション制御コンポーネント１０４は初期アドレス・メッセージ２０４内の受信された情報から別の発呼側番号を判定する。
【００４２】
通信機器１１２が通信セッション制御コンポーネント１０４に接続すると、通信セッション制御コンポーネント１０６は通信セッション制御コンポーネント１０４に応答メッセージ２２４を送信する。次に、通信セッション制御コンポーネント１０４は通信セッション制御コンポーネント１０２に情報メッセージ２２６を送信する。通信セッション制御コンポーネント１０２は通信機器１１２の識別情報を通信機器１０８のユーザに提供するために情報メッセージ２２８を通信機器１０８に送信する。通信セッション制御コンポーネント１０４は、通信機器１１２が通信セッションに加わったことを通信機器１１０に示すために接続メッセージ２３０を通信機器１１０に送信する。
【００４３】
一実施例では、通信セッション制御コンポーネント１０４は情報メッセージ２２６の送信後に接続メッセージ２３０を送信する。別の例では、通信セッション制御コンポーネント１０４は接続メッセージ２３０の送信後に情報メッセージ２２６を送信する。双方の例とも、通信セッション制御コンポーネント１０２は情報メッセージ２２６の受信後に情報メッセージを送信する。
【００４４】
図４に転じてこれを参照し、例示する目的で装置１００の動作のさらに別の例をここに説明する。メッセージの流れ４０１は通信機器１１２と通信機器１０８および１１０を能動的に含む通信セッションとの接続例を示している。メッセージの流れ４０１は通信機器１０８が通信機器１１０および１１２に対して通信セッションに加わることを別個に呼びかけ、次に３個の通信機器１０８、１１０、および１１２の全てが通信セッションに加わることを示している。
【００４５】
メッセージの流れ４０１は通信機器１０８、１１０、および１１２の１つと、通信セッション制御コンポーネント１０２、１０４、および１０６のそれぞれ１つとの間のアナログ・シグナリングの利用例を示している。さらに、メッセージの流れ２０１および３０１で示したように、メッセージの流れ４０１は通信セッション制御コンポーネント１０２、１０４、および１０６巻のＩＳＵＰシグナリングの利用例を示している。通信機器１０８、１１０、および１１２、および／または通信セッション制御コンポーネント１０２、１０４、および１０６はＨ．３２３、ＳＩＰ、欧州デジタル携帯電話統一システム規格（「ＧＳＭ」）、暫定企画−９５（「ＩＳ−９５」）、ユニバーサル・モバイル・テレコミュニケーション・システム（「ＵＭＴＳ」）、および時分割多重アクセス（「ＴＤＭＡ」）のような別のシグナリング・プロトコルを利用して通信してもよい。
【００４６】
通信機器１０８および１１０はメッセージの流れ２０１で示したように、双方向通話２１４で起動する。通信セッションへの通信機器１１２の参加（例えば双方向通話２１４）を開始するため、通信機器は通信セッション制御コンポーネント１０２にフラッシュ・メッセージ４０２を送信する。次に、通信機器１０８は通信機器１１２の電話番号をダイアルする。「ＦＬＡＳＨ（ＣｄＰＮ＝ＣＤ３）」はフラッシュ・メッセージ４０２を表す役割を果たす。「ＣｄＰＮ＝ＣＤ３」は通信機器１１２の電話番号を表す役割を果たす。一例でのフラッシュ・メッセージ４０２は通信セッション制御コンポーネント１０２に対して通話がマルチパーティ通話であることを表示しない。
【００４７】
フラッシュ・メッセージ４０２を受信すると、通信セッション制御コンポーネント１０２は初期アドレス・メッセージ２０４を通信セッション制御コンポーネント１０６に送信する。初期アドレス・メッセージ２０４は通信機器１０８に関連する識別情報、および通信機器１１２に関連する電話番号を含んでいる。一例での初期アドレス・メッセージ２０４は、マルチパーティ会議が未だ通信機器１１０と１１２との接続を確立していないので、通信機器１１０に関連する識別情報を含まない。
【００４８】
初期アドレス・メッセージ２０４を受信すると、通信セッション制御コンポーネント１０６は通信機器１１２にセットアップ・メッセージ２０６を送信する。セットアップ・メッセージ２０６は発呼側（例えば通信機器１０８）の識別情報を含んでいる。発呼に応答すると、通信機器は通信セッション制御コンポーネント１０６に接続メッセージ２０８を送信する。通信セッション制御コンポーネント１０６は通信セッション制御コンポーネント１０２に応答メッセージ２１０を送信する。応答メッセージ２１０は通信機器１１２の接続された加入番号のような通信機器１１２に関連する識別情報を含んでいる。
【００４９】
通信機器１０８は通信セッション制御コンポーネント１０２にフラッシュ・メッセージ４０４を送信する。フラッシュ・メッセージ４０４は通信機器１０８、１１０、および１１２間の三方向通話を確立する役割を果たす。例えば、フラッシュ・メッセージ４０４は通信機器１０８と１１２の双方向通話で、通信セッション制御コンポーネント１０２に対して通信機器１０８と１１０との双方向通話１１４に加わるようにトリガする。それによって、通信機器１０８、１１０、および１１２は三方向通話に能動的に加えられる。
【００５０】
三方向通話が確立されると、通信セッション制御コンポーネント１０２は通信セッション制御コンポーネント１０４に対して通信機器１１２に関連する識別情報を通知する。例えば、通信セッション制御コンポーネント１０２は通信セッション制御コンポーネント１０４に対して、通信機器１１２が通話に加わったことを示す情報メッセージ４１４を送信する。次に通信セッション制御コンポーネント１０４は情報メッセージ４１６内の通信機器１１２の識別情報を通信機器１１０に提示する。
【００５１】
さらに、通信セッション制御コンポーネント１０２は通信セッション制御コンポーネント１０６に対して通信機器１１０に関連する識別情報を通知する。例えば、通信セッション制御コンポーネント１０２は通信セッション制御コンポーネント１０６に対して、通信機器１１０が通話に加わったことを示す情報メッセージ４１８を送信する。次に通信セッション制御コンポーネント１０４は情報メッセージ４２０内の通信機器１１０の識別情報を通信機器１１２に提示する。
【００５２】
図５に転じてこれを参照し、例示する目的で装置１００の動作のさらに別の例をここに説明する。メッセージの流れ５０１は通信機器１１２と通信機器１０８および１１０を能動的に含む通信セッションとの接続例を示している。メッセージの流れ５０１はまた、アプリケーション・サーバ１１４への通信機器１０８、１１０、および１１２の識別情報の送出を示している。
【００５３】
メッセージの流れ５０１は通信セッション制御コンポーネント１０２、１０４、および１０６間の高度インテリジェント・ネットワーク（「ＡＩＮ」）シグナリングの利用例を示している。さらに、メッセージの流れ５０１はアプリケーション・サーバ１１４、ウエブ・ポータル１１６、およびコンピュータ１１８間のＳＩＰ加入／通知シグナリングの利用例を示している。
【００５４】
通信機器１０８および１１０はメッセージの流れ２０１で記載のように双方向通話２１４で起動している。通信機器１１２の通信セッションへの参加を開始するため、通信機器は通信セッション制御コンポーネント１０２に対して会議メッセージ２１６を送信し、これに応答して通信セッション制御コンポーネント１０２はメッセージの流れ２０１で記載のように、通信セッション制御コンポーネント１０６に初期アドレス・メッセージ２１８を送信する。
【００５５】
一実施例では、初期アドレス・メッセージ２１８は通信セッション制御コンポーネント１０６内のトリガを起動する。トリガは通信セッション制御コンポーネント１０６に対して通話中の通信機器１０８、１１０、および１１２の識別情報を送信するように指示する。一例では、通信セッション制御コンポーネント１０６はアプリケーション・サーバ１１４に対してターミネーション試行照会５０２を送信する。別の例では、通信セッション制御コンポーネント１０６はアプリケーション・サーバにワイヤレス・インテリジェント・ネットワーク（「ＷＩＮ」）を送信する。
【００５６】
アプリケーション・サーバは通信機器１０８、１１０、および１１２の１つ以上にサービスを提供するために通信機器１０８、１１０、および１１２の識別情報を利用してもよい。一例では、アプリケーション・サーバ１１４はウエブ・ポータル１１６およびコンピュータ１１８とインタラクトする。例えば、アプリケーション・サーバ１１４はウエブ・ポータル１１６に通知メッセージ５０４を送信する。通知メッセージ５０４は通話が通信機器１１２用であるという表示を含んでおり、通信機器１０８および１１０に関連する識別情報を提示する。
【００５７】
通知メッセージ５０４を受信すると、ウエブ・ポータル１１６は通知メッセージ５０６をコンピュータ１１８に送信する。通知メッセージ５０６は通話が通信機器１１２用であるという表示、および通信機器１０８および１１０に関連する識別情報を含んでいる。一例では、コンピュータ１１８は通信機器１１２のユーザ用の通信機器１０８および１１０に関連する識別情報をディスプレーする。コンピュータ１１８は通知メッセージ５０６の受信を示す確認応答メッセージ５０８をウエブ・ポータル１１６に送信する。「２００  ＯＫ」は確認応答メッセージ５０８を表す役割を果たす。ウエブ・ポータル１１６は、通知メッセージ５０４の受領を示すために確認応答メッセージ５１０をアプリケーション・サーバに送信する。「２００  ＯＫ」は確認応答メッセージ５１０を表す役割を果たす。一実施例では、コンピュータ１１８はウエブ・ポータル１１６が確認応答メッセージ５１０を送信する前に確認応答メッセージ５０８を送信する。別の例では、ウエブ・ポータル１１６はコンピュータ１１８が確認応答メッセージ５０８を送信する前に確認応答メッセージ５１０を送信する。
【００５８】
確認応答メッセージ５１０を受信すると、アプリケーション・サーバ１１４は、通信機器１１２に通話を接続するように通信セッション制御コンポーネント１０６に指示する認可メッセージ５１２を通信セッション制御コンポーネント１０６に対して送信する。一例での「Ａｕｔｈ＿Ｔｅｒｍ」は認可メッセージ５１２を表す役割を果たす。次に、通信セッション制御コンポーネント１０６は、メッセージの流れ２０１で記載のように、セットアップ・メッセージ２２０の送信、接続メッセージ２２２の受信、および応答メッセージ２２４の送信による通信セッションを用いて、通信機器１１２を通信セッション制御コンポーネント１０２に接続する役割を果たす。
【００５９】
一実施例における装置１００は１つ以上のコンピュータ読み出し可能な信号記録媒体を使用する。装置１００用のコンピュータ読み出し可能な信号記録媒体の一例は、１つ以上の通信セッション制御コンポーネント１０２、１０４、および１０６の１つ以上の記録可能データ記憶媒体の例を含んでいる。例えば、記録可能データ記憶媒体は磁気、電気、光学、生物学、および原子によるデータ記憶媒体の１つ以上を含んでいる。別の例では、装置１００用のコンピュータ読み出し可能な信号記録媒体は、例えば電話回線網、ローカルエリアネットワーク（「ＬＡＮ」）、インターネット、およびワイヤレス・ネットワークの１つ以上を含み、または装置１００に結合されたネットワークを介して送信される変調搬送波信号を含んでいる。
【００６０】
本明細書に記載した工程または動作は例であるに過ぎない。本発明の趣旨から離れることなく、これらの工程または動作には多くの変化があってもよい。例えば、工程を異なる順序で実施してもよく、または工程を追加、削除、または修正してもよい。
【００６１】
本明細書で本発明の実施例を詳細に図示し、説明してきたが、本発明の趣旨から離れることなく、多様な修正、追加、代替などが可能であることは当業者には明らかであり、したがってこれらも特許請求の範囲に記載の本発明の範囲内にあるものと見なされる。
【図面の簡単な説明】
【００６２】
【図１】１個または複数の情報送信機コンポーネントと、１個または複数の情報受信機コンポーネントとを備えた装置の実施例を示す図面である。
【図２】図１の装置の１個または複数の情報受信機コンポーネントの通信機器に対して、複数の通信機器に関連する識別情報を送出するためのメッセージの流れの例を示す図面である。
【図３】図１の装置の１個または複数の情報受信機コンポーネントの通信機器に対して、複数の通信機器に関連する識別情報を送出するためのメッセージの流れの例を示す図面である。
【図４】図１の装置の１個または複数の情報受信機コンポーネントの通信機器に対して、複数の通信機器に関連する識別情報を送出するためのメッセージの流れの例を示す図面である。
【図５】図１の装置の１個または複数の情報受信機コンポーネントのアプリケーション・サーバに対して、複数の通信機器に関連する識別情報を送出するためのメッセージの流れの例を示す図面である。
【図１】
2005124183.tif 000003
【図２】
2005124183.tif 000004
【図３】
2005124183.tif 000005
【図４】
2005124183.tif 000006
【図５】
2005124183.tif 000007
【外国語明細書】
2005124183.tif 000008
2005124183.tif 000009
2005124183.tif 000010
2005124183.tif 000011
2005124183.tif 000012
2005124183.tif 000013
2005124183.tif 000014
2005124183.tif 000015
2005124183.tif 000016
2005124183.tif 000017
2005124183.tif 000018
2005124183.tif 000019
2005124183.tif 000020
2005124183.tif 000021
2005124183.tif 000022
2005124183.tif 000023
2005124183.tif 000024
2005124183.tif 000025
2005124183.tif 000026
2005124183.tif 000027
2005124183.tif 000028
2005124183.tif 000029
2005124183.tif 000030
2005124183.tif 000031
2005124183.tif 000032
2005124183.tif 000033
2005124183.tif 000034
2005124183.tif 000035
2005124183.tif 000036
2005124183.tif 000037
2005124183.tif 000038
2005124183.tif 000039
2005124183.tif 000040
2005124183.tif 000041